(57)【要約】  【課題】  可搬動力ポンプを傾斜した地面においても安定して水平に配置することができ、迅速に高さを調節することが可能なポンプ載置台を提供する。  【解決手段】  ポンプ載置台が表面上に可搬動力ポンプを積載するための載置板と、その板を支持する一直線上にない複数本の脚と、各脚の高さを独立して調節することが可能な脚高調節機構とから構成されるようにする。脚高調節機構は、油圧式、空気圧式、段階式等の機構を用いることにより、載置板上にポンプが載せられた状態でも迅速に、且つ、軽い操作で載置板を水平にすることが可能となる。【選択図】  図１
2006097497.tif 000002
【特許請求の範囲】
【請求項１】
表面上に可搬動力ポンプを積載するための載置板と、
該載置板を支持する一直線上にない少なくとも三本以上の脚と、
該各脚の高さを独立して調節することが可能な脚高調節機構と、
から成ることを特徴とするポンプ載置台。
【請求項２】
前記載置板が矩形であり、四本の脚が該載置板の四隅に配置されることを特徴とする請求項１に記載のポンプ載置台。
【請求項３】
前記脚高調節機構が油圧式、空気圧式、段階式のうちのいずれかであることを特徴とする請求項１又は２に記載のポンプ載置台。
【発明の詳細な説明】
【技術分野】
【０００１】
本発明は、傾斜地において可搬動力ポンプ（以下、ポンプと呼ぶ）を水平に設置するためのポンプ載置台に関する。
【背景技術】
【０００２】
人力で運搬可能な可搬動力ポンプは、水道が引かれていない場所において、付近の河川・湖・池等の自然水源から水を吸い上げるために用いられる。とりわけ、そのような場所において火災が発生した際の有効な消火用水給水手段として使用される。
【０００３】
火災現場においてポンプに求められるのは、安定性である。消火活動時にポンプがオーバーヒート等によって停止してしまうならば、水の供給が停止してしまう。そこでこれまで、可能な限りポンプを連続して運転することを可能にする技術が開発、開示されてきた。
【０００４】
例えば特許文献１には、水冷式消防ポンプにおいて、給水管の圧力が十分に上昇せずにポンプ本体に水を供給することができなくなったり、給水管にゴミ等が詰まったりすることが原因となって冷却水が供給されず、その結果エンジンがオーバーヒートしてエンジンが停止した際に、速やかにエンジンの運転を再開することを可能とした可搬消防ポンプが記載されている。
【０００５】
可搬式ポンプの安定した運転にとって肝要なのは、冷却水のスムーズな供給だけではない。このようなポンプが必要とされる場所は、山地や川の堤防といった足場が平坦でなく傾斜している場所が多い。傾斜した状態でポンプが稼動すると、ポンプが自重で勝手に動いたり転覆してしまったりするおそれがあるだけでなく、ポンプ内の油が傾斜によって偏ってしまうことが原因となり、エンジンがオーバーヒートしたり焼き付けを起こすことがある。このように、傾斜地においてポンプを使用するとポンプの故障が高頻度で発生したりポンプの寿命が大幅に短くなることがあるために、消火作業の間ずっと人力でポンプを水平に保持しなければならない場合がしばしばあり、極めて不効率、且つ、不便であった。
【０００６】
そこで、このような問題に対処するために、京都市西京消防団松尾分団は平成16年に「傾斜矯正付小型動力ポンプ用台座」を開発した（非特許文献１）。このポンプ用台座はポンプを載置するための台座板の下部にこの台座と略同面積の平板状の接地板を有しており、台座と接地板とが4個の車用回転パンタグラフ式ジャッキによって接続されている。各ジャッキの高さを調節することにより、傾斜地であっても台座板を水平に、すなわち台座板上の動力ポンプを水平にすることができるものである。しかしこの台座を複雑な形状を有する地面上に設置しようとすると、平板状の接地板が十分な接地面積を確保できずにぐらついてしまい、ポンプを安定して水平に設置できないという問題がある。さらに、接地板と台座板に挟まれた各ジャッキの高さを調整することは容易ではなく、一刻を争う火災現場において、また、ポンプが複数台接続され得る現場において時間や手間が掛かりすぎるという問題もある。
【０００７】
【特許文献１】特許第3007052号公報
【非特許文献１】京都新聞2004年7月18日号
【発明の開示】
【発明が解決しようとする課題】
【０００８】
本発明は上記問題に鑑みてなされたものであり、その解決しようとする課題は、傾斜地においても消防用可搬動力ポンプをより迅速に、且つ確実に水平に設置することを可能にするポンプ載置台を提供することにある。
【課題を解決するための手段】
【０００９】
上記課題を解決するために成された本発明に係るポンプ載置台は、表面上に可搬動力ポンプを積載するための載置板と、該載置板を支持する複数本の脚と、該各脚の高さを独立して調節することが可能な脚高調節機構とから成ることを特徴とする。
【発明の効果】
【００１０】
本発明に係るポンプ載置台によれば、各脚の高さを独立して迅速・簡便に調節することが可能であるため、足場が水平でない傾斜地においても極めて迅速にポンプを水平状態に安定して設置することができる。従って、いかなる場所においてもポンプを安定して作動させることができ、ポンプが傾いた状態で作動する場合に生じ得る種々の問題を防止することが可能となる。
【発明を実施するための最良の形態】
【００１１】
本発明に係るポンプ載置台の基本的な構成は、上面にポンプを載置する載置板、載置板を支持する複数の脚、および脚の高さを各脚毎に調節することが可能な脚高調節機構から成る。
【００１２】
載置板は平板状の部材であり、その形状は各種のポンプを安定して載置することが可能なものであればいかなるものでもよいが、ポンプの底面が矩形に形成されていることが多いため、載置板の平面形状もそれに合わせて矩形とするのが望ましい。載置板を形成する材料は、その上面にポンプを載置した時にもその重みで歪んだり撓んだりすることがない十分な強度を有しているべきであり、水や油が表面に付着しても容易に腐食しない金属等が好適である。
【００１３】
脚は載置板およびポンプを安定して支持するために、載置板に少なくとも三本以上が設けられ、且つ、それらが一直線上に位置しないように配置される。載置板が矩形の場合には、四隅に一本ずつ配置されるとよい。後述するように各々の脚の高さは脚高調節機構によって独立して調節を行うことが可能である。各脚の地面側の先端部には、地面に脚の先端が食い込むことを防止するために、所定の大きさの接地面を有するパッドが備えられるのが好適である。地面が傾斜していても接地面積をできる限り大きくするために、パッドは全方向に自由に傾斜可能であることが望ましい。
【００１４】
脚高調節機構は脚の高さを各脚毎に独立して変化させるための機構であり、載置板の一部に形成されていてもよいし、脚の一部に形成されていてもよい。また、両者が組み合わされて形成されていてもよい。この調節機構は油圧式、空気圧式、段階式等の方式を用いることができるが、素早く脚の高さを調節することができ、ポンプが載置板上に載置された状態でも無理なく軽快に作動すればよい。
【実施例１】
【００１５】
以下、図面を参照しつつ本発明に係るポンプ載置台の実施例について説明する。図１はポンプ載置台１を傾斜した地面６０の上に配置した場合の側面図であり、図２（ａ）は載置板１０の平面図である。
【００１６】
載置板１０は四隅に脚保持部１４を有しており、その脚保持部１４にてそれぞれ高さが固定される4本の脚によって支持されている。各脚は図２（ｂ）に示すように、長脚棒２８およびその地面側の先端に設けられたパッド２４から成り、長脚棒２８には長軸方向に一定の間隔で段階孔２９が複数個設けられている。長脚棒２８が脚保持部１４に差し込まれ、適切な位置の段階孔２９に脚固定部材１５が挿入されることにより載置板１０より下の脚の高さが固定される。各脚の高さを適切に調節することにより、載置板１０が水平となる。また、載置板１０の表面にはレベラ１７が備えられており、正確に水平を出すことができる。
【００１７】
長脚棒２８の先端に設けられたパッド２４が地面６０の傾斜に合わせて自由に傾くことにより、傾斜面においてパッド下面の接地面積が大きくなり、地面が柔らかい場所でも脚が沈み込むことがなく、ポンプ載置台１はより一層安定する。
【００１８】
ポンプ固定手段として載置板１０はベルト孔１２を備えている。面ファスナテープ等のベルト１３をこのベルト孔１２に通し、図１に示すようにポンプ５０と載置板１０とを縛ることにより、稼動時に振動してもポンプ５０の位置が動いてバランスが悪くなったり落下してしまうことがない。なお、ポンプ固定手段としてベルトを用いる場合には、縛る箇所を対角上に二箇所設ければ十分である。
【００１９】
載置板１０の中央には載置板１０の上下を貫通するように中央孔１１が設けられている。ポンプ５０が水冷式の場合にはポンプ５０の下部から排水が行われることがあるが、排出された水は全て中央孔１１を通って地面に落下するため、載置板１０上には溜まることがない。また、この中央孔１１を設けることにより載置板１０の軽量化も図ることができる。
【実施例２】
【００２０】
本発明に係るポンプ載置台の他の実施例として、脚高調節機構が空気圧式のものも挙げることができる（図３）。ポンプ載置台２は、載置板２０の下面の四隅において空気圧式の脚高調節機構を有する脚を備えている。バルブ２１に備えられたハンドル２７を操作して空気を注入したり、または流出させることにより、エアシリンダ２２の下部から突出するロッド２３の長さを自在に、且つ、軽々と調節することができる。さらに、載置板２０の下部とロッド２３とを繋ぐクランプレバー２６によって伸縮設定自在のステー２５を設けておけば、ロッド２３が長く突出した場合でも、ロッド２３に過大な力が掛かり破損してしまうことを防止することができる。
【００２１】
本発明に係るポンプ載置台は上記実施例の構成に限られないことは言うまでもない。例えば、脚高調節機構を油圧式とするならば、各脚の高さをより確実に、且つ軽い操作で設定することが可能となる。また、十分な強度を確保できるならば、脚が三本から成る構成としてもよい。
【図面の簡単な説明】
【００２２】
【図１】本発明に係るポンプ載置台の第一の実施例の側面図。
【図２】第一の実施例に係るポンプ載置台の（ａ）載置板（ｂ）脚の平面図。
【図３】脚高調節機構が空気圧式である本発明に係るポンプ載置台の第一の実施例の側面図。
【符号の説明】
【００２３】
１、２…ポンプ載置台
１０、２０…載置板
１１…中央孔
１２…ベルト孔
１３…ベルト
１４…脚保持部
１５…脚固定部材
１７…レベラ
２１…バルブ
２２…エアシリンダ
２３…ロッド
２４…パッド
２５…ステー
２６…クランプレバー
２７…ハンドル
２８…長脚棒
２９…段階孔
５０…ポンプ
【図１】
2006097497.tif 000003
【図２】
2006097497.tif 000004
【図３】
2006097497.tif 000005